(57)【要約】【課題】シャッタ閉鎖時におけるディスク状記録媒体の露光を防止可能で、ホログラムメディアディスク用として特に好適なディスクカートリッジを提供する。【解決手段】ディスクカートリッジを、ディスク状記録媒体１と、ディスク状記録媒体１を収納するインナーケース２と、インナーケース２の厚み方向の外側に位置するアウターケース３と、インナーケース２の一端辺に摺動自在に取り付けられたスライダ４と、スライダ４に固定されたシャッタ５とから構成する。アウターケース２を構成する上ハーフ３２の内面及び下ハーフ３４の内面に、複数条のリブ状の突起の集合からなる光入射防止部３７，３９を形成する。【選択図】図８
2006185554.tif 000002
【特許請求の範囲】
【請求項１】
ディスク状記録媒体を収納し、インナーヘッド挿入孔及びインナースピンドル挿入孔を有するインナーケースと、そのインナーケースの厚み方向の外側に位置し、前記インナーヘッド挿入孔と重合する位置に設けられたアウターヘッド挿入孔と、前記インナースピンドル挿入孔と重合する位置に設けられたアウタースピンドル挿入孔を有するアウターケースと、前記インナーケースと前記アウターケースとの間に摺動可能に配置されて、前記インナーヘッド挿入孔及び前記アウターヘッド挿入孔並びに前記インナースピンドル挿入孔及び前記アウタースピンドル挿入孔を開閉するシャッタとを備えた二重構造のディスクカートリッジにおいて、前記インナーケースのシャッタ摺動面及び／又は前記アウターケースのシャッタ摺動面に、前記シャッタと前記シャッタ摺動面との間から前記インナーケース内への外部光の漏れ込みを防止するための光入射防止部を設けたことを特徴とするディスクカートリッジ。
【請求項２】
前記光入射防止部を、前記シャッタ摺動面のうちの前記各挿入口の周辺部にのみ設けたことを特徴とする請求項１に記載のディスクカートリッジ。
【請求項３】
前記光入射防止部として、前記シャッタ摺動面にリブ状又はシボ状の突起を形成したことを特徴とする請求項１又は請求項２に記載のディスクカートリッジ。
【請求項４】
前記光入射防止部として、前記シャッタ摺動面にリブ状及びシボ状の突起を組み合わせて形成したことを特徴とする請求項１又は請求項２に記載のディスクカートリッジ。
【請求項５】
前記光入射防止部として、前記シャッタ摺動面に植毛を施したことを特徴とする請求項１又は請求項２に記載のディスクカートリッジ。
【請求項６】
前記光入射防止部として、前記シャッタ摺動面にリブ状又はシボ状の突起と植毛とを組み合わせて形成したことを特徴とする請求項１又は請求項２に記載のディスクカートリッジ。
【請求項７】
前記光入射防止部として、前記シャッタ摺動面に反射防止シートを貼着したことを特徴とする請求項１乃至請求項４のいずれか１項に記載のディスクカートリッジ。
【請求項８】
前記光入射防止部として、前記シャッタ摺動面に黒色などの暗色系の塗装を施したことを特徴とする請求項１乃至請求項７のいずれか１項に記載のディスクカートリッジ。
【請求項９】
前記光入射防止部として、前記シャッタのインナーケース対向面及び／又はアウターケース対向面に黒色などの暗色系の塗装を施したことを特徴とする請求項１乃至請求項８のいずれか１項に記載のディスクカートリッジ。
【発明の詳細な説明】
【技術分野】
【０００１】
本発明は、ディスクカートリッジに係り、特に、ホログラムメディアディスクを収納するに好適な二重構造のディスクカートリッジにおけるインナーケース内への外部光の漏れ込みを防止する手段に関する。
【背景技術】
【０００２】
近年、ＣＤ（コンパクトディスク）やＤＶＤ（デジタル多用途ディスク）などのディスク状記録媒体に比べて情報の記録容量が格段に高く、しかもディスク状記録媒体を高速で回転駆動する必要がなく、記録再生装置の媒体駆動系を簡略化できることから、２枚のディスク基板の間にホログラムを挟み込んでなるホログラムメディアディスクが注目されている。
【０００３】
ホログラムは、感光性のポリマーからなるので、外部光の露光により劣化されやすく、追記型又は書換型のホログラムメディアディスクを実用化するためには、ホログラムメディアディスクを遮光性のディスクカートリッジ内に収納して、外部光を遮断する必要がある。
【０００４】
従来より、ＶＤ（ビデオディスク）やＭＤ（ミニディスク）などにおいては、汚れや機械的な破損からディスク状記録媒体を保護するため、ディスク状記録媒体をディスクカートリッジ内に収納する技術が知られている。しかし、従来より知られているこの種のディスクカートリッジは、一重構造、即ち、ヘッド挿入孔を有する上ハーフとスピンドル挿入孔を有する下ハーフとを接合することによってディスク状記録媒体を収納するためのカートリッジケースが形成され、かつ当該カートリッジケースの外面に摺動可能に被着されたシャッタにてヘッド挿入孔及びスピンドル挿入孔を開閉するという構造であるので、シャッタの閉鎖時にも、シャッタと上ハーフのシャッタ摺動面及びシャッタと下ハーフのシャッタ摺動面との間から外部光がカートリッジケース内に漏れ込みやすく、ディスク状記録媒体の露光を十分に防止することができない。したがって、ホログラムメディアディスク用のディスクカートリッジとしては適用することができない。
【０００５】
ところで、本願出願人は、先に、二重構造のディスクカートリッジ、即ち、ディスク状記録媒体を収納し、インナーヘッド挿入孔及びインナースピンドル挿入孔を有するインナーケースと、そのインナーケースの厚み方向の外側に位置し、インナーヘッド挿入孔と重合する位置に設けられたアウターヘッド挿入孔と、インナースピンドル挿入孔と重合する位置に設けられたアウタースピンドル挿入孔を有するアウターケースと、インナーケースとアウターケースとの間に摺動可能に配置されて前記各挿入孔を開閉するシャッタとを備えたディスクカートリッジを提案し、特許を得た（例えば、特許文献１参照。）。
【０００６】
この二重構造のディスクカートリッジを用いると、前記一重構造のディスクカートリッジを用いた場合よりも、ディスクカートリッジ内に収納されたディスク状記録媒体に至る外部光の入射経路が長くかつ複雑になるので、ディスク状記録媒体が外部光によって露光されにくく、ホログラムメディアディスク用のディスクカートリッジとして一重構造のディスクカートリッジよりも適する。
【特許文献１】特許第３４３０１８４号
【発明の開示】
【発明が解決しようとする課題】
【０００７】
しかしながら、前記二重構造のディスクカートリッジを用いた場合にも、シャッタ及びカートリッジケースのシャッタ摺動面に外部光の入射を防止するための手段が何ら設けられていないので、インナーケース内への外部光の漏れ込みを完全に防止することができず、このままではホログラムメディアディスク用のディスクカートリッジとして適用することが困難である。
【０００８】
本発明は、かかる従来技術の不備を解決するためになされたものであり、その目的は、シャッタ閉鎖時におけるディスク状記録媒体の露光を防止可能で、ホログラムメディアディスク用として特に好適なディスクカートリッジを提供するにある。
【課題を解決するための手段】
【０００９】
本発明は、上記課題を解決するため、ディスク状記録媒体を収納し、インナーヘッド挿入孔及びインナースピンドル挿入孔を有するインナーケースと、そのインナーケースの厚み方向の外側に位置し、前記インナーヘッド挿入孔と重合する位置に設けられたアウターヘッド挿入孔と、前記インナースピンドル挿入孔と重合する位置に設けられたアウタースピンドル挿入孔を有するアウターケースと、前記インナーケースと前記アウターケースとの間に摺動可能に配置されて、前記インナーヘッド挿入孔及び前記アウターヘッド挿入孔並びに前記インナースピンドル挿入孔及び前記アウタースピンドル挿入孔を開閉するシャッタとを備えた二重構造のディスクカートリッジにおいて、前記インナーケースのシャッタ摺動面及び／又は前記アウターケースのシャッタ摺動面に、前記シャッタと前記シャッタ摺動面との間から前記インナーケース内への外部光の漏れ込みを防止するための光入射防止部を設けるという構成にした。
【００１０】
このように、二重構造のディスクカートリッジを構成するインナーケースのシャッタ摺動面及び／又はアウターケースのシャッタ摺動面にインナーケース内への外部光の漏れ込みを防止するための光入射防止部を設けると、シャッタとシャッタ摺動面との間を通ってインナーケース内に至る外部光を遮断することができるので、外部光の露光によるホログラムメディアディスクの劣化を防止することができる。
【００１１】
また、本発明は、前記構成のディスクカートリッジにおいて、前記光入射防止部を、前記シャッタ摺動面のうちの前記各挿入口の周辺部にのみ設けるという構成にした。
【００１２】
シャッタ閉鎖時におけるインナーケース内への外部光の漏れ込みは、シャッタとシャッタ摺動面とが互いに重なり合う部分、即ち、シャッタの外縁部と各挿入口の周辺部との間の隙間から外部光が侵入することにより発生する。したがって、所要の挿入口の周辺部にのみ光入射防止部を設けるだけで、実際上十分なディスク状記録媒体の露光防止効果を得ることができる。
【００１３】
また、本発明は、前記構成のディスクカートリッジにおいて、前記光入射防止部として、前記シャッタ摺動面にリブ状又はシボ状の突起を形成するという構成にした。
【００１４】
シャッタ摺動面にリブ状又はシボ状の突起を形成すると、シャッタとシャッタ摺動面との間より入射した外部光を突起の壁面によって反射・回折させることができるので、インナーケース内に向かう外部光を遮断することができ、インナーケース内への外部光の漏れ込みを防止することができる。また、シャッタとシャッタ摺動面との接触面積を減少できるので、シャッタの動作を軽快なものにすることができる。
【００１５】
また、本発明は、前記構成のディスクカートリッジにおいて、前記光入射防止部として、前記シャッタ摺動面にリブ状及びシボ状の突起を組み合わせて形成するという構成にした。
【００１６】
このように、リブ状の突起とシボ状の突起とを組み合わせると、シャッタ摺動面の状態に合わせて適宜リブ状の突起及びシボ状の突起を配列することができるので、インナーケース及び／又はアウターケースの成形容易性やシャッタの摺動性を高めることができる。
【００１７】
また、本発明は、前記構成のディスクカートリッジにおいて、前記光入射防止部として、前記シャッタ摺動面に植毛を施すという構成にした。
【００１８】
かかる構成によっても、シャッタとシャッタ摺動面との間より入射した外部光を植毛によって反射・回折させることができるので、シャッタ摺動面にリブ状又はシボ状の凹凸を形成した場合と同様の作用効果を発揮することができる。
【００１９】
また、本発明は、前記構成のディスクカートリッジにおいて、前記光入射防止部として、前記シャッタ摺動面にリブ状又はシボ状の突起と植毛とを組み合わせて形成するという構成にした。
【００２０】
かかる構成によっても、シャッタ摺動面の状態に合わせて適宜リブ状の突起又はシボ状の突起と植毛とを配列することができるので、インナーケース及び／又はアウターケースの成形容易性やシャッタの摺動性を高めることができる。
【００２１】
また、本発明は、前記構成のディスクカートリッジにおいて、前記光入射防止部として、前記シャッタ摺動面に反射防止シートを貼着するという構成にした。
【００２２】
シャッタ摺動面に反射防止シートを貼着すると、シャッタとシャッタ摺動面との間より入射した外部光の多重反射を防止できるので、インナーケース内への外部光の漏れ込みを防止することができる。また、シャッタとシャッタ摺動面との間に滑性に優れた部材が配置されるので、シャッタの動作を軽快なものにすることができる。
【００２３】
また、本発明は、前記構成のディスクカートリッジにおいて、前記光入射防止部として、前記シャッタ摺動面に黒色などの暗色系の塗装を施すという構成にした。
【００２４】
シャッタ摺動面に暗色系の塗装を施すと、シャッタとシャッタ摺動面との間より入射した外部光が暗色系の塗装面によって吸収され、その多重反射を防止することができるので、インナーケース内に向かう外部光を遮断することができてインナーケース内への外部光の漏れ込みを防止することができる。
【００２５】
また、本発明は、前記構成のディスクカートリッジにおいて、前記光入射防止部として、前記シャッタのインナーケース対向面及び／又はアウターケース対向面に黒色などの暗色系の塗装を施すという構成にした。
【００２６】
かかる構成によっても、シャッタとシャッタ摺動面との間より入射した外部光が暗色系の塗装面によって吸収され、その多重反射を防止することができるので、インナーケース内に向かう外部光を遮断することができてインナーケース内への外部光の漏れ込みを防止することができる。
【発明の効果】
【００２７】
本発明のディスクカートリッジは、インナーケース及び／又はアウターケースのシャッタ摺動面に光入射防止部を設けたので、シャッタとシャッタ摺動面との間を通ってインナーケース内に至る外部光を遮断することができ、外部光の露光によるホログラムメディアディスクの劣化を防止することができる。
【発明を実施するための最良の形態】
【００２８】
以下、本発明に係るディスクカートリッジの第１実施形態を、図１乃至図８に基づいて説明する。図１は第１実施形態に係るディスクカートリッジの分解斜視図、図２は第１実施形態に係るインナーケース上ハーフの外面図、図３は第１実施形態に係るインナーケース下ハーフの外面図、図４は第１実施形態に係るアウターケース上ハーフの内面図、図５は図４のＡ部拡大平面図、図６は図４のＡ部拡大断面図、図７は第１実施形態に係るアウターケース下ハーフの内面図、図８は第１実施形態に係るディスクカートリッジの要部拡大断面図である。
【００２９】
図１に示すように、本例のディスクカートリッジは、ディスク状記録媒体１と、ディスク状記録媒体１を収納するインナーケース２と、インナーケース２の厚み方向の外側に位置するアウターケース３と、インナーケース２の一端辺に摺動自在に取り付けられたスライダ４と、スライダ４に固定されたシャッタ５とから構成されている。
【００３０】
ディスク状記録媒体１としては、公知に属する任意のディスク状記録媒体を収納することができるが、本実施形態においては、２枚のディスク基板の間にホログラムを挟み込んでなるホログラムメディアディスクが収納されている。なお、ホログラムメディアディスクの構成については、公知に属する事項であり、かつ本発明の要旨でもないので、説明を省略する。
【００３１】
インナーケース２は、インナーヘッド挿入孔２１が開口された上ハーフ２２と、インナースピンドル挿入孔２３が開口された下ハーフ２４とからなり、その一端辺には、スライダ４を摺動自在に取り付けるためのスライダ設定部２５が設けられている。上ハーフ２２の外面には、図２に示すように、インナーヘッド挿入孔２１の周囲を含むシャッタ５の可動範囲にわたって浅い凹状のシャッタ摺動面２６が形成されている。また、下ハーフ２４の外面には、図３に示すように、インナースピンドル挿入孔２３の周囲を含むシャッタ５の可動範囲にわたって浅い凹状のシャッタ摺動面２７が形成されている。
【００３２】
一方、アウターケース３は、アウターヘッド挿入孔３１が開口された上ハーフ３２と、アウタースピンドル挿入孔３３が開口された下ハーフ３４とからなり、その一端辺には、記録再生装置に備えられたシャッタ操作部材を受け入れてスライダ４を開閉操作するためのスライダ操作部３５が設けられている。上ハーフ３２の内面には、図４に示すように、アウターヘッド挿入孔３１の周囲を含むシャッタ５の可動範囲にわたって浅い凹状のシャッタ摺動面３６が形成されており、当該シャッタ摺動面３６におけるアウターヘッド挿入孔３１の周囲部分には、図５、図６及び図８に示すように、アウターヘッド挿入孔３１と平行に、複数条（図５及び図６の例では５条、図８の例では３条）のリブ状の突起の集合からなる光入射防止部３７が形成されている。また、下ハーフ３４の内面には、図７に示すように、アウタースピンドル挿入孔３３の周囲を含むシャッタ５の可動範囲にわたって浅い凹状のシャッタ摺動面３８が形成されており、当該シャッタ摺動面３８におけるアウタースピンドル挿入孔３３の周囲部分には、上ハーフ３２の内面に形成された光入射防止部３７と同様の光入射防止部３９が形成されている。
【００３３】
なお、前記各挿入孔２１，２３，３１，３３は、図１に示すように、前記各ハーフ２２，２４，３２，３４を所定の向きにして組み立てたときに、互いに重合し合う位置に開口される。
【００３４】
スライダ４は、シャッタ５の開閉を円滑に行うために備えられるものであって、例えばポリアセタール樹脂などの滑性に優れた材料をもって形成される。
【００３５】
シャッタ５は、スライダ４に固定される固定部５１と、インナーヘッド挿入孔２１及びアウターヘッド挿入孔３１を開閉するヘッド挿入孔開閉部５２と、インナースピンドル挿入孔２３及びアウタースピンドル挿入孔３３を開閉するスピンドル挿入孔開閉部５３とをもって側面形状がコの字形に形成されており、図７に示すように、インナーケース２のシャッタ摺動面２６，２７とアウターケース３のシャッタ摺動面３６，３８との間に設定される。
【００３６】
本例のディスクカートリッジは、アウターケース３のシャッタ摺動面３６，３８にリブ状の突起の集合からなる光入射防止部３７，３９を設けたので、図８に示すように、シャッタ５とシャッタ摺動面３６，３８との間に入射された外部光Ｌが光入射防止部３７，３９の壁面によって反射され、シャッタ５とシャッタ摺動面３６，３８との間からインナーケース２内に至る外部光Ｌが遮断されるので、外部光の露光によるホログラムメディアディスク１の劣化を防止することができる。また、シャッタ５とシャッタ摺動面３６，３８との接触面積を減少できるので、シャッタ５の動作を軽快なものにすることができる。
【００３７】
以下、本発明に係るディスクカートリッジの他の実施形態を列記する。
【００３８】
（１）リブ状の突起の集合からなる光入射防止部３７，３９に代えて、図９に示すように、シボ状の突起の集合からなる光入射防止部３７ａ，３９ａを形成することもできる。この場合にも、シャッタ５とシャッタ摺動面３６，３８との間に入射された外部光Ｌが光入射防止部３７ａ，３９ａの壁面によって反射及び回折されるので、シャッタ５とシャッタ摺動面３６，３８との間を通ってインナーケース２内に至る外部光Ｌを遮断することができる。
【００３９】
（２）リブ状の突起の集合からなる光入射防止部３７，３９又はシボ状の突起の集合からなる光入射防止部３７ａ，３９ａを単独で形成する構成に代えて、図１０に示すように、リブ状の突起の集合からなる光入射防止部３７，３９とシボ状の突起の集合からなる光入射防止部３７ａ，３９ａとを組み合わせて形成することもできる。かかる構成によると、シャッタ摺動面３６，３８の状態に合わせて適宜リブ状の突起及びシボ状の突起を配列することができるので、インナーケース２及び／又はアウターケース３の成形容易性やシャッタ５の摺動性を高めることができる。
【００４０】
（３）リブやシボなどの突起の集合からなる光入射防止部３７，３９，３７ａ，３９ａに代えて、図１１に示すように、植毛からなる光入射防止部３７ｂ，３９ｂを形成することもできる。この場合にも、シャッタ５とシャッタ摺動面３６，３８との間に入射された外部光Ｌが植毛３７ｂ，３９ｂによって反射及び回折されるので、シャッタ５とシャッタ摺動面３６，３８との間を通ってインナーケース２内に至る外部光Ｌを遮断することができる。
【００４１】
（４）リブ状の突起の集合からなる光入射防止部３７，３９又はシボ状の突起の集合からなる光入射防止部３７ａ，３９ａ若しくは植毛からなる光入射防止部３７ｂ，３９ｂを単独で形成する構成に代えて、図１２に示すように、リブ状の突起の集合からなる光入射防止部３７，３９と植毛からなる光入射防止部３７ｂ，３９ｂとを組み合わせることもできるし、図１３に示すように、シボ状の突起の集合からなる光入射防止部３７ａ，３９ａと植毛からなる光入射防止部３７ｂ，３９ｂとを組み合わせることもできる。さらには、図１４に示すように、リブ状の突起の集合からなる光入射防止部３７，３９とシボ状の突起の集合からなる光入射防止部３７ａ，３９ａと植毛からなる光入射防止部３７ｂ，３９ｂとを組み合わせることもできる。かかる構成によると、シャッタ摺動面３６，３８の状態に合わせて適宜リブ状の突起とシボ状の突起と植毛とを配列することができるので、インナーケース２及び／又はアウターケース３の成形容易性やシャッタ５の摺動性を高めることができる。
【００４２】
（５）突起の集合又は植毛からなる光入射防止部を形成する構成に代えて、図１５に示すように、アウターケース２の上ハーフ３２及び下ハーフ３４の所要の位置に不織布やポリテトラフルオロエチレンシートなどの反射防止シート３７ｃ，３９ｃを貼着することもできるし、図１６乃至図２３に示すように、アウターケース２の上ハーフ３２及び下ハーフ３４の所要の位置に黒色などの暗色系の塗装３７ｄ，３９ｄを施すこともできる。これらの場合にも、シャッタ５とシャッタ摺動面３６，３８との間を通って入射された外部光Ｌが反射防止シート３７ｃ，３９ｃ又は暗色系の塗装３７ｄ，３９ｄによって吸収されるので、外部光Ｌの多重反射が防止され、シャッタ５とシャッタ摺動面３６，３８との間を通ってインナーケース２内に至る外部光Ｌを遮断することができる。
【００４３】
（６）前記各実施形態においては、光入射防止部をアウターケース３のシャッタ摺動面３６，３８にのみ形成したが、図２４に例示するように、インナーケース２のシャッタ摺動面２６，２７にアウターケース３のシャッタ摺動面３６，３８に形成した光入射防止部３７〜３７ｄ，３９〜３９ｄと同様の光入射防止部２８，２９を形成することもできるし、図２５に例示するように、シャッタ５のヘッド挿入孔開閉部５２及びスピンドル挿入孔開閉部５３にアウターケース３のシャッタ摺動面３６，３８に形成した光入射防止部３７〜３７ｄ，３９〜３９ｄと同様の光入射防止部５４，５５を形成することもできる。図２４に示すように、インナーケース２とアウターケース３の双方に光入射防止部２８，２９，３７，３９を形成すると、インナーケース２内への外部光Ｌの入射をより確実に遮断することができる。
【図面の簡単な説明】
【００４４】
【図１】第１実施形態に係るディスクカートリッジの分解斜視図である。
【図２】第１実施形態に係るインナーケース上ハーフの外面図である。
【図３】第１実施形態に係るインナーケース下ハーフの外面図である。
【図４】第１実施形態に係るアウターケース上ハーフの内面図である。
【図５】図４のＡ部拡大平面図である。
【図６】図４のＡ部拡大断面図である。
【図７】第１実施形態に係るアウターケース下ハーフの内面図である。
【図８】第１実施形態に係るディスクカートリッジの要部拡大断面図である。
【図９】他の実施形態に係るディスクカートリッジの要部拡大平面図である。
【図１０】更に他の実施形態に係るディスクカートリッジの要部拡大断面図である。
【図１１】更に他の実施形態に係るディスクカートリッジの要部拡大断面図である。
【図１２】更に他の実施形態に係るディスクカートリッジの要部拡大断面図である。
【図１３】更に他の実施形態に係るディスクカートリッジの要部拡大断面図である。
【図１４】更に他の実施形態に係るディスクカートリッジの要部拡大断面図である。
【図１５】更に他の実施形態に係るディスクカートリッジの要部拡大断面図である。
【図１６】更に他の実施形態に係るディスクカートリッジの要部拡大断面図である。
【図１７】更に他の実施形態に係るディスクカートリッジの要部拡大断面図である。
【図１８】更に他の実施形態に係るディスクカートリッジの要部拡大断面図である。
【図１９】更に他の実施形態に係るディスクカートリッジの要部拡大断面図である。
【図２０】更に他の実施形態に係るディスクカートリッジの要部拡大断面図である。
【図２１】更に他の実施形態に係るディスクカートリッジの要部拡大断面図である。
【図２２】更に他の実施形態に係るディスクカートリッジの要部拡大断面図である。
【図２３】更に他の実施形態に係るディスクカートリッジの要部拡大断面図である。
【図２４】更に他の実施形態に係るディスクカートリッジの要部拡大断面図である。
【図２５】更に他の実施形態に係るディスクカートリッジの要部拡大断面図である。
【符号の説明】
【００４５】
１    ディスク状記録媒体
２    インナーケース
３    アウターケース
４    スライダ
５    シャッタ
２１    インナーヘッド挿入孔
２２    インナーケース上ハーフ
２３    インナースピンドル挿入孔
２４    インナーケース下ハーフ
２５    スライダ設定部
２６，２７    シャッタ摺動面
３１    アウターヘッド挿入孔
３２    アウターケース上ハーフ
３３    アウタースピンドル挿入孔
３４    アウターケース下ハーフ
３５    スライダ操作部
３６，３８    シャッタ摺動面
３７〜３７ｄ，３９〜３９ｄ，５４，５５    光入射防止部
【図１】
2006185554.tif 000003
【図２】
2006185554.tif 000004
【図３】
2006185554.tif 000005
【図４】
2006185554.tif 000006
【図５】
2006185554.tif 000007
【図６】
2006185554.tif 000008
【図７】
2006185554.tif 000009
【図８】
2006185554.tif 000010
【図９】
2006185554.tif 000011
【図１０】
2006185554.tif 000012
【図１１】
2006185554.tif 000013
【図１２】
2006185554.tif 000014
【図１３】
2006185554.tif 000015
【図１４】
2006185554.tif 000016
【図１５】
2006185554.tif 000017
【図１６】
2006185554.tif 000018
【図１７】
2006185554.tif 000019
【図１８】
2006185554.tif 000020
【図１９】
2006185554.tif 000021
【図２０】
2006185554.tif 000022
【図２１】
2006185554.tif 000023
【図２２】
2006185554.tif 000024
【図２３】
2006185554.tif 000025
【図２４】
2006185554.tif 000026
【図２５】
2006185554.tif 000027